(57)【要約】【課題】操作面に傷がつくことを防止することが可能な入力装置、入力システム、入力処理方法、及びプログラムを提供する。【解決手段】所定の操作体の接触による入力操作を受け付ける操作面と、前記所定の操作体と異なる物体が前記操作面に接近したことを検出する検出部と、前記検出部により前記所定の操作体と異なる物体の接近が検出されたことに基づいて、ユーザに対して警告を行う警告部とを備える、入力装置を提供する。【選択図】図５
2017215631.tif 000002
【特許請求の範囲】
【請求項１】
所定の操作体の接触による入力操作を受け付ける操作面と、
前記所定の操作体と異なる物体が前記操作面に接近したことを検出する検出部と、
前記検出部により前記所定の操作体と異なる物体の接近が検出されたことに基づいて、ユーザに対して警告を行う警告部と、
を備える、
入力装置。
【請求項２】
前記ユーザに対して表示を行う表示部をさらに備え、
前記警告部は、前記表示部に警告表示させることにより前記警告を行う、請求項１に記載の入力装置。
【請求項３】
前記ユーザに対して音声を出力する音声出力部をさらに備え、
前記警告部は、前記音声出力部に警告音声を出力させることにより前記警告を行う、請求項１又は２に記載の入力装置。
【請求項４】
前記入力装置を振動させる振動発生部をさらに備え、
前記警告部は、前記振動発生部を制御して前記入力装置を振動させることにより前記警告を行う、請求項１から３のいずれか１項に記載の入力装置。
【請求項５】
前記所定の操作体は、電子ペン又は前記ユーザの手指である、請求項１から４のいずれか１項に記載の入力装置。
【請求項６】
前記所定の操作体と異なる前記物体は、紙状媒体に対して実筆記する筆記具である、請求項１から５のいずれか１項に記載の入力装置。
【請求項７】
前記検出部は、前記操作面上に生じる磁界変化を検出する磁界検出装置である、請求項１から６のいずれか１項に記載の入力装置。
【請求項８】
前記所定の操作体と異なる前記物体は、前記操作面に対して一定の磁界を生じさせる磁力発生部を有する、請求項７に記載の入力装置。
【請求項９】
前記検出部は、前記操作面上に位置する前記所定の操作体と異なる前記物体を撮影する撮影装置である、請求項１から６のいずれか１項に記載の入力装置。
【請求項１０】
前記所定の操作体と異なる前記物体は、前記所定の操作体との差異を検出可能な形状を有する識別用部材が接続された筆記具であり、前記検出部は、撮影した画像上において前記識別用部材を認識することによって前記所定の操作体と異なる前記物体が前記操作面に接近したことを検出する、請求項９に記載の入力装置。
【請求項１１】
前記検出部は、前記所定の操作体と異なる前記物体から発信される所定の信号を検出する信号検出装置である、請求項１から６のいずれか１項に記載の入力装置。
【請求項１２】
前記所定の信号は、前記所定の操作体と異なる前記物体に設けられた光学センサが所定以上の光量を検出したことを示す信号である、請求項１１に記載の入力装置。
【請求項１３】
所定の操作体の接触による入力操作を受け付ける操作面と、
前記所定の操作体と異なる物体が前記操作面に接近したことを検出する検出部と、
前記検出部により前記所定の操作体と異なる物体の接近が検出されたことに基づいて、ユーザに対して警告を行う警告部と、
を含む、入力システム。
【請求項１４】
所定の操作体の接触による入力操作を受け付ける操作部に、前記所定の操作体と異なる物体が前記操作部に接近したことを検出し、
前記所定の操作体と異なる物体の接近が検出されたことに基づいて、ユーザに対して警告を行う、
ことを含む、入力処理方法。
【請求項１５】
コンピュータを、
所定の操作体の接触による入力操作を受け付ける操作部と、
前記所定の操作体と異なる物体が前記操作部に接近したことを検出する検出部と、
前記検出部により前記所定の操作体と異なる物体の接近が検出されたことに基づいて、ユーザに対して警告を行う警告部と、
して機能させるための、プログラム。
【発明の詳細な説明】
【技術分野】
【０００１】
本発明は、入力装置、入力システム、入力処理方法、及びプログラムに関する。
【背景技術】
【０００２】
近年、電子ペン等のポインティングデバイスやユーザの指先を用いて手書き入力された文字、数字、記号等を認識する技術が普及し始めている。例えば、タッチパネルのような操作面を搭載したタブレットＰＣ（Ｐｅｒｓｏｎａｌ  Ｃｏｍｐｕｔｅｒ）やスマートフォン等の入力装置においては、当該操作面上で電子ペンや指などの操作体の移動が検出されると、操作面上での操作体の移動の軌跡に基づいて、文字、数字、記号等が認識される。そして、認識された文字、数字、記号等の認識結果がデータとして入力装置に入力される。このような技術を利用した入力装置は、ペーパーレス化によるコスト削減等を図ることができ、さらには、ユーザが紙状媒体に記載する感覚で入力することができるため、入力操作が容易である。そのため、当該技術の普及が進んでおり、例えば、当該技術の一例として、下記の特許文献１及び２に開示されている。
【先行技術文献】
【特許文献】
【０００３】
【特許文献１】特開２００３−２２５２０９号公報
【特許文献２】特開２００１−２２２３７６号公報
【発明の概要】
【発明が解決しようとする課題】
【０００４】
しかし、従来の入力装置においては、電子ペンや手指の代わりに、ユーザが誤ってボールペン等の筆記用具を用いて操作面に入力操作してしまうことがあり、このような場合、当該筆記用具により操作面を傷つけてしまうという問題があった。
【０００５】
そこで、本発明は、上記問題に鑑みてなされたものであり、本発明の目的とするところは、操作面に傷がつくことを防止することが可能な、新規かつ改良された入力装置、入力システム、入力処理方法、及びプログラムを提供することにある。
【課題を解決するための手段】
【０００６】
上記課題を解決するために、本発明のある観点によれば、所定の操作体の接触による入力操作を受け付ける操作面と、前記所定の操作体と異なる物体が前記操作面に接近したことを検出する検出部と、前記検出部により前記所定の操作体と異なる物体の接近が検出されたことに基づいて、ユーザに対して警告を行う警告部と、を備える、入力装置が提供される。
【０００７】
前記入力装置は、前記ユーザに対して表示を行う表示部をさらに備え、前記警告部は、前記表示部に警告表示させることにより前記警告を行ってもよい。
【０００８】
前記入力装置は、前記ユーザに対して音声を出力する音声出力部をさらに備え、前記警告部は、前記音声出力部に警告音声を出力させることにより前記警告を行ってもよい。
【０００９】
前記入力装置は、前記入力装置を振動させる振動発生部をさらに備え、前記警告部は、前記振動発生部を制御して前記入力装置を振動させることにより前記警告を行ってもよい。
【００１０】
前記所定の操作体は、電子ペン又は前記ユーザの手指であってもよい。
【００１１】
前記所定の操作体と異なる前記物体は、紙状媒体に対して実筆記する筆記具であってもよい。
【００１２】
前記検出部は、前記操作面上に生じる磁界変化を検出する磁界検出装置であってもよい。
【００１３】
前記所定の操作体と異なる前記物体は、前記操作面に対して一定の磁界を生じさせる磁力発生部を有していてもよい。
【００１４】
前記検出部は、前記操作面上に位置する前記所定の操作体と異なる前記物体を撮影する撮影装置であってもよい。
【００１５】
前記所定の操作体と異なる前記物体は、前記所定の操作体との差異を検出可能な形状を有する識別用部材が接続された筆記具であり、前記検出部は、撮影した画像上において前記識別用部材を認識することによって前記所定の操作体と異なる前記物体が前記操作面に接近したことを検出してもよい。
【００１６】
前記検出部は、前記所定の操作体と異なる物体から発信される所定の信号を検出する信号検出装置であってもよい。
【００１７】
前記所定の信号は、前記所定の操作体と異なる前記物体に設けられた光学センサが所定以上の光量を検出したことを示す信号であってもよい。
【００１８】
また、上記課題を解決するために、本発明の別の観点によれば、所定の操作体の接触による入力操作を受け付ける操作面と、前記所定の操作体と異なる物体が前記操作面に接近したことを検出する検出部と、前記検出部により前記所定の操作体と異なる物体の接近が検出されたことに基づいて、ユーザに対して警告を行う警告部と、を含む、入力システムが提供される。
【００１９】
さらに、上記課題を解決するために、本発明の更なる別の観点によれば、所定の操作体の接触による入力操作を受け付ける操作部に、前記所定の操作体と異なる物体が前記操作部に接近したことを検出し、前記所定の操作体と異なる物体の接近が検出されたことに基づいて、ユーザに対して警告を行う、ことを含む、入力処理方法が提供される。
【００２０】
また、上記課題を解決するために、本発明の更なる別の観点によれば、コンピュータを、所定の操作体の接触による入力操作を受け付ける操作部と、前記所定の操作体と異なる物体が前記操作部に接近したことを検出する検出部と、前記検出部により前記所定の操作体と異なる物体の接近が検出されたことに基づいて、ユーザに対して警告を行う警告部と、して機能させるための、プログラムが提供される。
【発明の効果】
【００２１】
以上説明したように本発明によれば、操作面に傷がつくことを防止することが可能である。
【図面の簡単な説明】
【００２２】
【図１】本発明の第１の実施形態に係る入力システム１の構成例を示す説明図である。
【図２】第１の実施形態に係る入力装置１０のブロック図である。
【図３】第１の実施形態に係る電子ペン３０の内部構成を概略的に示す説明図である。
【図４】第１の実施形態に係る筆記用具５０を説明するための説明図である。
【図５】第１の実施形態に係る入力処理方法のフローチャート図である。
【図６】第１の実施形態に係る警告画面８００の一例を説明するための説明図である。
【図７】第２の実施形態に係る筆記用具５２を説明するための説明図である。
【図８】第２の実施形態に係る入力処理方法のフローチャート図である。
【図９】第３の実施形態に係る筆記用具５４を説明するための説明図である。
【図１０】第３の実施形態に係る処理方法のフローチャート図である。
【図１１】本発明の実施形態に係る入力装置１０のハードウェア構成を示したブロック図である。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
＜＜第１の実施形態＞＞
＜入力システム１＞
まず、図１を参照して、本発明の第１の実施形態にかかる入力システム１の構成例について説明する。図１は、本実施形態に係る入力システム１の構成例を示す説明図である。図１に示すように、本実施形態に係る入力システム１は、例えば、入力装置１０と、電子ペン（所定の操作体）３０と、筆記用具（所定の操作体と異なる物体）５０とを含んで構成される。以下に、入力システム１に含まれる入力装置１０と、電子ペン３０と、筆記用具５０とについて説明する。
【００２５】
入力装置１０は、例えば、後述する電子ペン３０の接触による入力操作を受け付ける操作面を有する端末であり、具体的には、タブレットＰＣ（Ｐｅｒｓｏｎａｌ  Ｃｏｍｐｕｔｅｒ）やスマートフォン等である。なお、入力装置１０の詳細構成については、後で説明する。
【００２６】
電子ペン３０は、入力装置１０に対して入力操作を行う際に用いる、ポインティングデバイスの一例である。詳細には、ユーザが、電子ペン３０のペン先３０４（図３参照）を、入力装置１０の操作表示部（操作面）１０６に接触させる。そして、入力装置１０は、電子ペン３０のペン先３０４が接触した位置の座標等の、電子ペン３０の入力装置１０の操作表示部１０６への接触に伴って発生する情報（以下「電子情報」とも称する）を取得することにより、ユーザからの入力操作を受け付ける。なお、電子ペン３０の詳細構成については、後で説明する。また、本実施形態においては、入力装置１０に対しての入力操作を行う操作体としては、上述の電子ペン３０に限定されるものではなく、ユーザの手指であってもよい。
【００２７】
筆記用具５０は、入力帳票のような紙状媒体に対して実筆記する筆記具である。詳細には、当該筆記用具５０は、ボールペン、サインペン、シャープペン、鉛筆等の一般的な筆記具にアタッチメント５０６（図４参照）を装着した筆記用具である。なお、以下の説明において、実筆記とは、ボールペン、サインペン、シャープペン、鉛筆等の筆記具のように、紙状媒体に筆記することを意味する。また、筆記用具５０の詳細構成については、後で説明する。
【００２８】
＜入力装置１０の詳細構成＞
次に、図１及び図２を参照して、本実施形態に係る入力装置１０の基本構成を説明する。図２は、本実施形態に係る入力装置１０のブロック図である。入力装置１０は、先に説明したように、電子ペン３０の接触による入力操作を受け付ける操作面を有する端末である。入力装置１０は、図１及び図２に示すように、制御部１００、通信部１０２、記憶部１０４、操作表示部（操作面）１０６、撮影部１０８、音声出力部１１０、及び振動発生部１１２を主に有する。以下に、これらの各構成要素について説明する。なお、入力装置１０のハードウェア構成の詳細については、後で説明する。
【００２９】
（制御部１００）
制御部１００は、入力装置１０に内蔵されるＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）などのハードウェアを用いて、図２に示すように、入力装置１０の動作を全般的に制御する機能を有する。例えば、制御部１００は、後述する操作表示部１０６によって電子ペン３０による電子情報を取得した場合には、取得した電子情報に基づいて、通信部１０２等の各ブロックを制御する。また、制御部１００は、ユーザに対して警告を行う警告部として、操作表示部１０６、音声出力部１１０、振動発生部１１２等を制御することができる。
【００３０】
（通信部１０２）
通信部１０２は、入力装置１０の内部に設けられ、例えば無線通信網等を介して、他の外部装置（図示省略）等との間でデータの送受信（通話を含んでもよい）を行うことができる。また、通信部１０２は、電子ペン３０との間でデータの送受信を行うように構成されてもよく、この場合、通信部１０２は、電子ペン３０から発信される信号を検出する信号検出装置として機能することもできる。
【００３１】
（記憶部１０４）
記憶部１０４は、入力装置１０の内部に設けられ、入力装置１０が実行するアプリケーション等の各種のソフトウェアや、後述する警告画面８００（図６参照）等の各種のデータを記憶する記憶媒体である。当該記憶部１０４に用いられる記憶媒体としては、例えばハードディスク（Ｈａｒｄ  Ｄｉｓｋ）などの磁気記録媒体や、ＥＥＰＲＯＭ（Ｅｌｅｃｔｒｏｎｉｃａｌｌｙ  Ｅｒａｓａｂｌｅ
ａｎｄ  Ｐｒｏｇｒａｍｍａｂｌｅ  Ｒｅａｄ  Ｏｎｌｙ  Ｍｅｍｏｒｙ）、フラッシュメモリ、ＭＲＡＭ（Ｍａｇｎｅｔｏｒｅｓｉｓｔｉｖｅ  Ｒａｎｄｏｍ  Ａｃｃｅｓｓ  Ｍｅｍｏｒｙ）、ＦｅＲＡＭ（Ｆｅｒｒｏｅｌｅｃｔｒｉｃ  Ｒａｎｄｏｍ  Ａｃｃｅｓｓ  Ｍｅｍｏｒｙ）、ＰＲＡＭ（Ｐｈａｓｅ  ｃｈａｎｇｅ  Ｒａｎｄｏｍ  Ａｃｃｅｓｓ  Ｍｅｍｏｒｙ）などの不揮発性メモリが挙げられるがこれに限られない。
【００３２】
（操作表示部１０６）
操作表示部１０６は、図１に示すように、入力装置１０の表面に設けられ、ユーザと入力装置１０との間のインターフェースの役割を果たす。操作表示部１０６は、ユーザに対して表示を行う表示部としての機能を有し、例えば、液晶ディスプレイ（ＬＣＤ:Ｌｉｑｕｉｄ  Ｃｒｙｓｔａｌ  Ｄｉｓｐｌａｙ）装置や、ＯＬＥＤ（Ｏｒｇａｎｉｃ  Ｌｉｇｈｔ  Ｅｍｉｔｔｉｎｇ  Ｄｉｏｄｅ）装置等により実現される。操作表示部１０６は、制御部１００の制御に従って、例えば、警告画面８００（図６参照）等の画面を表示する。また、操作表示部１０６は、ユーザの入力装置１０に対する各種の入力操作を受け付ける操作部としての機能を有し、例えば、操作表示部１０６に積層されたパネルにより、電子ペン３０等の接触による入力操作を受け付ける。
【００３３】
詳細には、操作表示部１０６は、電子ペン３０が接触した場合に電子情報を取得する。電子情報は、位置座標等の、電子ペン３０が操作表示部１０６にどのように接触したかを示す情報を含み、操作表示部１０６は、電子ペン３０のペン先３０４（図３参照）が操作表示部１０６に接触した際に、その接触した位置の座標等の電子情報を取得することができる。そして、操作表示部１０６は、電子ペン３０のペン先３０４の、操作表示部１０６への接触により得られる電子情報を制御部１００へ出力する。なお、操作表示部１０６は、ユーザの指先が接触した場合に、ユーザの手指の接触した位置の座標等の電子情報を取得してもよい。
【００３４】
操作表示部１０６は、例えば、電磁誘導方式を用いて電子情報を取得することができる。具体的には、操作表示部１０６には、操作表示部１０６の面上のＸ軸方向とＹ軸方向とに沿ってマトリックス状に設けられた複数のアンテナコイル（図示省略）からなるアンテナコイル群が設けられている。当該アンテナコイル群の各アンテナコイルは、操作表示部１０６の内部に設けられた高周波源（図示省略）と受信回路（図示省略）とに、コイル切替スイッチ（図示省略）及び送信／受信切替スイッチ（図示省略）を介して接続されている。そして、コイル切替スイッチ及び送信／受信切替スイッチが図示せぬコントローラにより制御されることにより、各アンテナコイルは、高周波源又は受信回路に接続されることができる。なお、操作表示部１０６における、電子ペン３０の接触による電子情報の取得方法の詳細については、電子ペン３０の詳細構成とともに、後で説明する。
【００３５】
また、操作表示部１０６の操作部は、電子ペン３０以外の物体が操作表示部１０６に接近したことを検出する検出部としての機能をも有し、この機能については、電子ペン３０の詳細構成とともに、後で説明する。さらに、本実施形態においては、操作表示部１０６の操作部と表示部とは、一体となって、操作機能と表示機能の両方の機能を包含する操作表示部として構成されることに限定されるものではない。本実施形態においては、例えば、表示部としてのディスプレイ装置及び操作部としてのタッチパネルのように、別体のものとして構成されていてもよい。
【００３６】
（撮影部１０８）
撮影部１０８は、図１に示すように、入力装置１０の表面に設けられたカメラ等の撮影装置であり、入力装置１０の周囲の状況を撮影する。詳細には、当該撮影部１０８は、入力装置１０の操作表示部１０６上又は上方に位置する物体（例えば、電子ペン３０や筆記用具５０）を撮影することができる。
【００３７】
（音声出力部１１０）
音声出力部１１０は、図１に示すように、入力装置１０の表面に設けられたスピーカ等の音声出力装置であり、入力装置１０を使用するユーザに対して、例えば警告音声等の音声を出力することができる。
【００３８】
（振動発生部１１２）
振動発生部１１２は、入力装置１０の内部に設けられたバイブレータ等から構成され、入力装置１０を振動させることができる。例えば、上述の制御部１００により制御されることにより、振動発生部１１２は、振動を発生させ、入力装置１０を振動させることができる。
【００３９】
なお、上述の入力装置１０の各機能部は、単一の入力装置１０に含まれるものとして構成されることに限定されるものではなく、単一の入力システムを構成する別個の装置として構成されていてもよい。すなわち、この場合には、これら別個の装置群は１つの入力システムを構成することとなる。また、当該入力システムは、さらに他の装置を含んでいてもよい。
【００４０】
＜電子ペン３０の詳細構成＞
本実施形態に係る電子ペン３０は、先に説明したように、入力装置１０のポインティングデバイスの一例であり、電子ペン３０が入力装置１０の操作表示部１０６に接触した場合には、入力装置１０は、電磁誘導方式を用いて電子情報を取得することができる。当該電子ペン３０の詳細構成を、図３を参照して説明する。図３は、電子ペン３０の内部構成を概略的に示す説明図である。
【００４１】
当該電子ペン３０は、図３に示すように、筐体３００と、ペン芯３０２と、送受信コイル３０６と、フェライトコア３０８と、回路部３１０とを主に有する。ペン芯３０２は、電子ペン３０の筒状の筐体３００の中心を貫くように設けられ、一方の先端は、入力装置１０の操作表示部１０６に接触するペン先３０４として、筐体３００の外部へと突出している。なお、ペン芯３０２は、筐体３００の外周面に設けられたスイッチ（図示省略）がユーザによって押されることにより、ペン先３０４が筐体３００の外部へと突出することができるように構成されていてもよい。また、ペン芯３０２のペン先３０４側には、フェライトコア３０８がペン芯３０２を囲むように設けられている。そして、当該フェライトコア３０８には送受信コイル３０６が巻かれている。さらに、筐体３００の内部には回路部３１０が設けられており、当該回路部３１０は、コンデンサ（図示省略）を有している。このコンデンサと送受信コイル３０６とによって、電子ペン３０の共振回路が構成される。また、当該電子ペン３０には、図示しないスイッチが設けられており、当該スイッチがユーザによって押されることにより、コンデンサ及び送受信コイル３０６からなる共振回路を起動することができるようになっていてもよい。
【００４２】
そして、入力装置１０の操作表示部１０６に電子ペン３０のペン先３０４を接触させた場合には、以下のようにして、操作表示部１０６は電子情報を取得することができる。まず、上述した操作表示部１０６に設けられたコントローラ（図示省略）の制御により、操作表示部１０６に設けられた送信／受信切替スイッチ（図示省略）が高周波電源（図示省略）側に接続されて、操作表示部１０６に設けられたアンテナコイル（図示省略）が送信状態になる。この場合、当該アンテナコイルに交流電流を流れ、操作表示部１０６の表層部に磁界の変化が生じる。そして、当該磁界変化により、当該アンテナコイルから電子ペン３０の上記共振回路の共振周波数に対応する電磁波が放出（送信）されると、共振現象により電子ペン３０の共振回路に電気エネルギー（電磁誘導電流）が蓄積される。詳細には、共振周波数に対応する電磁波の誘導によって送受信コイル３０６に発生した電流を電気エネルギーとして回路部３１０のコンデンサ（図示省略）に蓄積する。なお、当該コンデンサによって蓄積することができる電気エネルギーの量は、当該コンデンサの容量によって決定される。
【００４３】
次に、操作表示部１０６の上記コントローラの制御により、送信／受信切替スイッチが受信回路（図示省略）側に接続されて、上記アンテナコイルは受信状態に切り替わる。当該アンテナコイルが受信状態に切り替わることで、操作表示部１０６は、電子ペン３０から放出される電磁波を検出できるようになる。この際、電子ペン３０は、コンデンサに蓄積された電気エネルギーを用いて送受信コイル３０６に共振電流を流すことにより、電磁波を発信する。この電子ペン３０から放出（送信）された電磁波は、操作表示部１０６の表層部に磁界変化を生じさせ、上記アンテナコイルを介して上記受信回路によって電磁誘導電流として検出（受信）される。さらに、当該受信回路は、検出結果を入力装置１０の制御部１００に出力する。そして、上記コントローラは、上記アンテナコイルを送信状態及び受信状態に切り替えることを繰り返す。その結果、制御部１００は、検出結果を出力した各受信回路の位置、及び検出した電磁波の強度に基づいて、電子ペン３０のペン先３０４の操作表示部１０６上のＸ、Ｙ方向における位置座標を算出することができる。すなわち、操作表示部１０６は、電子ペン３０のペン先３０４によって操作表示部１０６の表層部に生じる磁界変化を検出する磁界検出装置である。
【００４４】
＜筆記用具５０の詳細構成＞
筆記用具５０は、先に説明したように、入力帳票のような紙状媒体に対して実筆記する筆記具である。当該筆記用具５０の詳細構成を、図４を参照して説明する。図４は、本実施形態に係る筆記用具５０を説明するための説明図である。当該筆記用具５０は、筐体５００と、実筆記するためのインク等を含むペン芯５０２とを主に有する。ペン芯５０２は、筒状の筐体５００の中心を貫くように設けられ、一方の先端は、紙状媒体に接触して筆記するペン先５０４として、筐体５００の外部に突出している。なお、ペン芯５０２は、例えば、ボールペン、サインペン、シャープペン、鉛筆等の筆記具の芯と同様の構成を持つことができる。
【００４５】
さらに、筆記用具５０は、図４に示すように、筐体５００の周囲に設けられたアタッチメント５０６を有する。当該アタッチメント５０６は、ペン先５０４近傍に設けられることが好ましい。当該アタッチメント５０６は、一定の磁界を生じさせる磁力発生部として機能し、例えば、永久磁石又は電磁石によって構成される。なお、当該アタッチメント５０６を電磁石によって構成する場合は筐体５００に電池などの電流を供給する構成を備えるものとする。当該アタッチメント５０６は、筆記用具５０のペン先５０４と入力装置１０の操作表示部１０６との間が所定の距離（例えば、１〜３ｃｍ程度）となった場合には、操作表示部１０６に対して一定の磁界を生じさせる。詳細には、ユーザが筆記用具５０を上記所定の距離以下にまで操作表示部１０６に近づける動作を行った際には、操作表示部１０６の表層部に、アタッチメント５０６を近づけたことによる磁界変化によって電磁誘導電流が生じる。しかしながら、アタッチメント５０６により生じる磁界は一定のため、その後、連続して表層部に磁界変化は生じることはなく、電磁誘導電流が連続的に生じることはない。従って、連続的に電磁誘導電流が生じることはないため、操作表示部１０６は、電磁誘導電流によって磁界変化を検出することができない。その結果、制御部１００は、操作表示部１０６の検出結果に基づいて、操作表示部１０６に近づいた物体が、電子ペン３０ではなく筆記用具５０であると判断することができる。
【００４６】
また、本実施形態においては、アタッチメント５０６によって発生する磁界の強さが、電子ペン３０の共振回路に蓄えられる電気エネルギーによって発生することができる磁界の強さよりも強くなるように、アタッチメント５０６を構成する永久磁石又は電磁石の磁力を選択してもよい。なお、電子ペン３０によって発生することができる磁界の強さは、共振回路に蓄えることができる電気エネルギーに依存し、当該電気エネルギーは、先に説明したように、共振回路を構成するコンデンサの容量によって決定される。この場合、ユーザが筆記用具５０を操作表示部１０６に近づける動作を行った際に、操作表示部１０６の表層部に、アタッチメント５０６を近づけたことによる磁界変化によって電磁誘導電流が生じる。その際、筆記用具５０のアタッチメント５０６によって発生する磁界の強さが、電子ペン３０によって発生することができる磁界よりも強いことから、電子ペン３０を近づけた場合に比べて、高い電磁誘導電流が流れることとなる。その結果、制御部１００は、操作表示部１０６の検出結果に基づいて、操作表示部１０６に近づいた物体が、電子ペン３０ではなく筆記用具５０であると判断することができる。
【００４７】
なお、本実施形態においては、筆記用具５０のペン先５０４は、常時、筐体５００の外部に突出していることに限定されるものではない。例えば、筆記用具５０は、ユーザが筐体５００に設けられたノック部５０８を押すことにより、ペン先５０４が筐体５００の外部に突出することができる構造であってもよい。
【００４８】
＜入力処理方法＞
以上、本実施形態に係る入力装置１０、電子ペン３０及び筆記用具５０の詳細構成について説明した。続いて、図５又は図６を参照して、本実施形態に係る入力システム１の入力処理方法について説明する。図５は、本実施形態に係る入力処理方法のフローチャート図である。図６は、本実施形態に係る警告画面８００の一例を説明するための説明図である。以下に説明する入力処理方法は、図５に示されるようにステップＳ１０１からステップＳ１１１までを含む。
【００４９】
まず、ユーザが、電子ペン３０もしくは筆記用具５０を入力装置１０の操作表示部１０６に近づける。次いで、ステップＳ１０１へ進む。
【００５０】
（ステップＳ１０１）
入力装置１０の操作表示部１０６は、電子ペン３０もしくは筆記用具５０によって生じる操作表示部１０６の表層部における磁界変化を検出し、検出結果を入力装置１０の制御部１００に出力する。次いで、ステップＳ１０３へ進む。
【００５１】
（ステップＳ１０３）
制御部１００は、操作表示部１０６の検出結果に基づいて、操作表示部１０６に近づいた物体が、電子ペン３０又は筆記用具５０であるかを判断する。例えば、連続的に磁界変化を検出できない場合や、所定の値以上の電磁誘導電流によって強い磁界を検出した場合には、制御部１００は、筆記用具５０の接近が検出されたとして、ステップＳ１０５へ進む。一方、連続的に磁界変化を検出した場合や、所定の値未満の電磁誘導電流による磁界を検出した場合には、制御部１００は、電子ペン３０の接近が検出されたとして、ステップＳ１１１へ進む。
【００５２】
（ステップＳ１０５）
制御部１００は、筆記用具５０の接近が検出されたことに基づいて、ユーザに対して警告を行う。具体的には、制御部１００は、操作表示部１０６に、図６に示すような、ユーザに対する警告画面（警告表示）８００を表示させる。警告画面８００は、ユーザによって筆記用具５０のペン先５０４が操作表示部１０６の表面に接触することを避けるために、「お使いのペンは利用できない」旨等の文言を表示し、ユーザに対して筆記用具５０を用いて入力装置１０へ入力操作をやめるように誘導する。さらに、警告画面８００は、ユーザに対して電子ペン３０に持ち替えて入力装置１０に入力操作することを誘導する旨の文言が含まれている。また、警告画面８００には、図６に示すように、ユーザが警告画面８００による警告内容を認識したことを入力装置１０に伝達するための確認ボタン８０２を含んでいる。従って、ユーザが、確認ボタン８０２を手指でタッチする、もしくは、電子ペン３０に持ち替えて、電子ペン３０のペン先３０４を確認ボタン８０２に接触させることにより、当該ユーザは、入力装置１０に警告内容を認識した旨を伝えることができる。なお、警告画面８００は、図６に示される画面に限定されることはなく、他の態様であってもよい。
【００５３】
また、警告画面８００を表示する際には、制御部１００は、音声出力部１１０に「お使いのペンは利用できない」旨の警告音声を出力させてもよい。また、制御部１００は、振動発生部１１２を制御して入力装置１０を振動させることにより、ユーザに対して警告を行ってもよい。このようにすることで、ユーザに対してより確実に警告内容を認識させることができる。次いで、ステップＳ１０７へ進む。
【００５４】
（ステップＳ１０７）
制御部１００は、ユーザが警告画面８００の確認ボタン８０２に対して操作を行ったことを操作表示部１０６により検出したかを判断する。ユーザが警告画面８００の確認ボタン８０２に対して操作を行ったことを検出した場合には、ステップＳ１０９へ進む。ユーザが上記確認ボタン８０２に対して操作を行ったことを検出できない場合には、ステップＳ１０５へ戻る。
【００５５】
（ステップＳ１０９）
制御部１００は、警告画面８００の表示を停止させる。次いで、ステップＳ１０１へ戻る。この際、制御部１００は、音声出力部１１０による警告音声を出力や、振動発生部１１２による振動も停止させる。
【００５６】
（ステップＳ１１１）
制御部１００は、電子ペン３０の接近が検出されたことに基づいて、操作表示部１０６に対して電子ペン３０を用いて行われた入力操作を受け付けるようになる。そして、本実施形態に係る入力処理方法を終了する。
【００５７】
ところで、従来の入力装置においては、電子ペンや手指の代わりに、ユーザが誤ってボールペン等の筆記用具を用いて入力装置の操作表示部に入力操作してしまうことがあり、このような場合、当該筆記用具のペン先により操作表示部を傷つけてしまうという問題があった。特に、金融機関の営業店舗においては、顧客（ユーザ）は、入力装置に必要な情報を入力する際、並行して帳票のような紙状媒体に対して実筆記により必要事項を記入することがある。例えば、電子的な入力を行なう入力装置と、帳票への筆記を行なうための台が隣接して設置された記帳台に、入力装置のための電子ペンと帳票へ筆記するための筆記用具の双方が置かれている場合には、顧客は入力装置に対しては電子ペンを用い、帳票に対しては筆記用具を用いなければならない。この際、顧客は、入力装置に入力する電子ペンと、帳票に記入する筆記用具とを持ち替えることを忘れ、誤って、筆記用具のペン先を入力装置の操作表示部の表面に接触させ、操作表示部を傷つけてしまうことがあった。
【００５８】
しかしながら、本実施形態においては、入力装置１０の操作表示部１０６に筆記用具５０を近づけた場合には、操作表示部１０６が筆記用具５０の接近を検出し、制御部１００が、当該検出に基づいて、ユーザに対して、筆記用具５０による入力操作をやめるように誘導する警告を行う。その結果、本実施形態によれば、ユーザが、当該警告に誘導されることにより、筆記用具５０のペン先５０４を操作表示部１０６に接触させることを避けることができ、従って、筆記用具５０のペン先５０４によって操作表示部１０６に傷がつくことを防止することが可能である。
【００５９】
＜＜第２の実施形態＞＞
上述の第１の実施形態においては、入力装置１０の制御部１００は、磁界変化を検出する操作表示部１０６による検出結果に基づいて、操作表示部１０６に近づいた物体が、電子ペン３０又は筆記用具５０であるかを判断していた。しかしながら、検出、判断方法は上述の形態に限定されるものではなく、他の形態であってもよい。そこで、第２の実施形態として、入力装置１０に設けられた撮影部１０８を用いて、電子ペン３０又は筆記用具５２であるかを判断する方法を説明する。本実施形態においては、例えば、筆記用具５２に、撮影部１０８によって認識することができるアタッチメント（識別用部材）５１０を設けることにより、撮影部１０８を用いて操作表示部１０６に近づく筆記用具５２を検出することができる。
【００６０】
なお、本実施形態においては、入力システム１、入力システム１に含まれる入力装置１０及び電子ペン３０については、上述の第１の実施形態と共通であり、第１の実施形態の入力システム１、入力装置１０及び電子ペン３０の説明及び説明図である図１から図３を参照し得る。したがって、ここでは、入力システム１、入力装置１０及び電子ペン３０については、説明を省略する。
【００６１】
＜筆記用具５２の詳細構成＞
次に、本実施形態に係る筆記用具５２を、図７を参照して説明する。図７は、本実施形態に係る筆記用具５２を説明するための説明図である。当該筆記用具５２は、上述の実施形態と同様に、図７に示すように、筒状の筐体５００と、筆記するためのインク等を含むペン芯５０２と、筐体５００の周囲に設けられたアタッチメント５１０とを主に有する。当該アタッチメント５１０は、電子ペン３０との差異を画像により検出可能な形状を有する。例えば、当該アタッチメント５１０は、ペン先５０４とは反対側に設けられており、入力装置１０に設けられた撮影部１０８を用いての画像認識が容易にできるように、赤や黄色等の目立つ色を有しており、さらに特徴的な形状を有していることが好ましい。
【００６２】
より具体的には、撮影部１０８は、入力装置１０の操作表示部１０６上又は上方に位置する物体（例えば、電子ペン３０や筆記用具５２）を撮影することができる。また、上述のアタッチメント５１０の画像情報は、入力装置１０の記憶部１０４にあらかじめ記録されており、入力装置１０の制御部１００は、記録されたアタッチメント５１０の画像情報を参照することにより、撮影部１０８によって撮影された画像にアタッチメント５１０の画像が含まれているかを判断することができる。例えば、制御部１００は、撮影された画像上においてアタッチメント５１０の画像を認識することができた場合には、アタッチメント５１０が装着された筆記用具５２が操作表示部１０６に接近したと認識する。一方、制御部１００は、撮影された画像にアタッチメント５１０の画像が含まれていない場合には、電子ペン３０が操作表示部１０６に接近したと認識する。
【００６３】
＜入力処理方法＞
続いて、図８を参照して、本実施形態に係る入力システム１の入力処理方法について説明する。図８は、本実施形態に係る入力処理方法のフローチャート図である。以下に説明する入力処理方法は、図８に示されるようにステップＳ２０１からステップＳ２１１までを含む。
【００６４】
まず、第１の実施形態と同様に、ユーザが、電子ペン３０もしくは筆記用具５２を入力装置１０の操作表示部１０６に近づける。次いで、ステップＳ２０１へ進む。
【００６５】
（ステップＳ２０１）
入力装置１０の撮影部１０８は、入力装置１０の操作表示部１０６に近づく物体（電子ペン３０もしくは筆記用具５２）の画像を撮影する。次いで、ステップＳ２０３へ進む。
【００６６】
（ステップＳ２０３）
入力装置１０の制御部１００は、入力装置１０の記憶部１０４にあらかじめ記録された筆記用具５２に装着されたアタッチメント５１０の画像情報を参照することにより、ステップＳ２０１で撮影された画像に当該アタッチメント５１０の画像が含まれているかを判断する。撮影された画像に、アタッチメント５１０の画像が含まれている場合には、筆記用具５２が操作表示部１０６に接近したと認識して、ステップＳ２０５へ進む。アタッチメント５１０の画像が含まれていない場合には、電子ペン３０が操作表示部１０６に接近したと認識して、ステップＳ２１１へ進む。
【００６７】
（ステップＳ２０５）
制御部１００は、筆記用具５０の接近を認識したことに基づいて、第１の実施形態と同様に、ユーザに対して警告を行う。この後、ステップＳ２０７、ステップＳ２０９と進むこととなるが、それぞれ第１の実施形態のステップＳ１０７、ステップＳ１０９と同様の処理を行うため、ここでは説明を省略する。
【００６８】
（ステップＳ２１１）
制御部１００は、電子ペン３０の接近を認識したことに基づいて、操作表示部１０６に対して電子ペン３０を用いて行われた入力操作を受け付けるようになる。そして、本実施形態に係る入力処理方法を終了する。
【００６９】
本実施形態においても、入力装置１０の操作表示部１０６に筆記用具５２を近づけた場合には、撮影部１０８によって撮影された画像を用いて、制御部１００が筆記用具５２の接近を検出する。そして、制御部１００が、当該検出に基づいて、ユーザに対して、筆記用具５２による入力操作をやめるように誘導する警告を行う。その結果、本実施形態によれば、ユーザが、当該警告に誘導されることにより、筆記用具５２のペン先５０４を操作表示部１０６に接触させることを避けることができ、従って、筆記用具５２のペン先５０４によって操作表示部１０６に傷がつくことを防止することが可能である。
【００７０】
＜＜第３の実施形態＞＞
先に説明したように、本発明においては、操作表示部１０６に近づいた物体が、電子ペン３０又は筆記用具５０（５２）であるかを判断する判断方法は、第１及び第２の実施形態に限定されるものではなく、他の形態であってもよい。そこで、第３の実施形態として、筆記用具５４から発せられる特定の信号を用いて、電子ペン３０又は筆記用具５４であるかを判断する方法を説明する。本実施形態においては、例えば、筆記用具５４に、入力装置１０の通信部１０２によって検出することができる所定の信号を発信する通信部５１６を設けることにより、入力装置１０は、操作表示部１０６に近づく筆記用具５４を当該所定の信号によって検出することができる。
【００７１】
なお、本実施形態においては、入力システム１、入力システム１に含まれる入力装置１０及び電子ペン３０については、上述の第１の実施形態と共通であり、第１の実施形態の入力システム１、入力装置１０及び電子ペン３０の説明及び説明図である図１から図３を参照し得る。したがって、ここでは、入力システム１、入力装置１０及び電子ペン３０については、説明を省略する。
【００７２】
＜筆記用具５４の詳細構成＞
次に、本実施形態に係る筆記用具５４を、図９を参照して説明する。図９は、本実施形態に係る筆記用具５４を説明するための説明図である。当該筆記用具５４は、図９に示すように、筒状の筐体５００と、実筆記するためのインク等を含むペン芯５０２と、ペン芯５０２の先端であるペン先５０４を押し出すためにユーザが操作するノック部５０８と、ペン先５０４の近傍に位置する撮影部５１２と、筐体５００の内部に設けられた制御部５１４及び通信部５１６とを主に有する。なお、本実施形態に係る筆記用具５４においては、ノック部５０８がユーザによって押されることにより、ペン先５０４が筐体５００の外部に突出することができる構造である。ここでは、本実施形態に係る筆記用具５４のうち、第１の実施形態と共通する筐体５００、ペン芯５０２、及びノック部５０８についての説明を省略し、撮影部５１２、制御部５１４、及び通信部５１６について説明する。
【００７３】
（撮影部５１２）
撮影部５１２は、図９に示すように、筆記用具５４の筐体５００のペン先５０４側に設けられたＣＣＤ（Ｃｈａｒｇｅ-Ｃｏｕｐｌｅｄ  Ｄｅｖｉｃｅ）カメラ等の撮影装置である。撮影部５１２のレンズ部はペン先５０４の近傍において筐体５００から露出しており、ペン先５０４と対向する物体を撮影することができる。なお、撮影部５１２は、ユーザによってノック部５０８が押された際に、ペン芯５０２のペン先５０４が筐体５００の外部に突出するととともに、起動することができる。また、撮影部５１２は、ＣＣＤカメラ等の撮影装置に限定されるものではなく、例えば光量を検出する光学センサであってもよい。
【００７４】
（制御部５１４）
制御部５１４は、図９に示すように、筐体５００の内部に設けられ、ＣＰＵ、ＲＯＭ、ＲＡＭなどのハードウェアを中心に構成されている。制御部５１４は、撮影部５１２によって取得した画像を解析し、解析結果に基づいて、後述する通信部５１６を制御する。詳細には、撮影部５１２により、ペン先５０４に対向する入力装置１０の操作表示部１０６を撮影した場合には、操作表示部１０６に内蔵されたバックライト（図示省略）に起因して、撮影部５１２は明るい画像を取得することができる。従って、制御部５１４は、取得した画像を解析し、所定以上の光量を検出した場合には、筆記用具５４のペン先５０４に対向する物体は、操作表示部１０６であると判断し、判断結果に基づいて、通信部５１６を制御する。
【００７５】
（通信部５１６）
通信部５１６は、図９に示すように、筐体５００の内部に設けられ、制御部５１４による制御に基づいて、赤外線信号や無線信号等の所定の信号を入力装置１０へ送信することができる。そして、例えば、入力装置１０の通信部１０２が、上記所定の信号を検出した場合には、所定の信号を検出したことに基づいて、筆記用具５４のペン先５０４の入力装置１０の操作表示部１０６への接近を認識することができる。
【００７６】
＜入力処理方法＞
続いて、図１０を参照して、本実施形態に係る入力システム１の入力処理方法について説明する。図１０は、本実施形態に係る入力処理方法のフローチャート図である。以下に説明する入力処理方法は、図１０に示されるようにステップＳ３０１からステップＳ３０９までを含む。
【００７７】
まず、ユーザが、筆記用具５４を入力装置１０の操作表示部１０６に近づける。例えば、ユーザが、筆記用具５４のペン先５０４を繰り出している場合には、筆記用部５４の撮影部５１２が起動している。このような状態で、筆記用具５４のペン先５０４が操作表示部１０６に近づいた場合には、筆記用具５４の撮影部５１２は、操作表示部１０６の画像を取得することとなる。そして、筆記用具５４の制御部５１４は、取得した画像を解析する。制御部５１４は、所定以上の光量が検出された場合には、操作表示部１０６に内蔵されたバックライト（図示省略）に起因して明るい画像を取得することができたとして、筆記用具５４のペン先５０４に対向する物体は、操作表示部１０６であると判断する。さらに、制御部５１４は、当該判断結果に基づいて、通信部５１６に対して、所定の信号を入力装置１０へ送信するように制御する。一方、ユーザが電子ペン３０を操作表示部１０６に近づけた場合には、電子ペン３０から所定の信号は送信されることはない。次いで、ステップＳ３０１へ進む。
【００７８】
（ステップＳ３０１）
入力装置１０の制御部１００は、通信部１０２が所定の信号を検出したか否かを判断する。通信部１０２が所定の信号を検出した場合には、ステップＳ３０３へ進む。通信部１０２が所定の信号を検出していない場合には、ステップＳ３０９へ進む。
【００７９】
（ステップＳ３０３）
制御部１００は、通信部１０２が所定の信号を検出したことに基づいて、筆記用具５４の操作表示部１０６への接近を認識し、第１の実施形態と同様に、ユーザに対して警告を行う。この後、ステップＳ３０５、ステップＳ３０７と進むこととなるが、それぞれ第１の実施形態のステップＳ１０７、ステップＳ１０９と同様の処理を行うため、ここでは説明を省略する。
【００８０】
（ステップＳ３０９）
制御部１００は、通信部１０２が所定の信号を検出していないことに基づいて、電子ペン３０の操作表示部１０６への接近を認識し、操作表示部１０６に対して電子ペン３０を用いて行われた入力操作を受け付けるようになる。そして、本実施形態に係る入力処理方法を終了する。
【００８１】
本実施形態においても、入力装置１０の操作表示部１０６に筆記用具５４を近づけた場合には、筆記用具５４から送信される所定の信号を用いて、筆記用具５４の接近を検出する。そして、制御部１００が、当該検出に基づいて、ユーザに対して筆記用具５４による入力操作をやめるように誘導する警告を行う。その結果、本実施形態によれば、ユーザが、当該警告に誘導されることにより、筆記用具５４のペン先５０４を操作表示部１０６に接触させることを避けることができ、従って、筆記用具５４のペン先５０４によって操作表示部１０６に傷がつくことを防止することが可能である。
【００８２】
なお、本実施形態においては、筆記用具５４に設けられた撮影部５１２により、入力装置１０の操作表示部１０６を検出していたが、これに限定されるものではなく、例えば、筆記用具５４の通信部５１６と、入力装置１０の通信部１０２との間で近距離通信を行うことにより、互いの相対位置（位置座標等）を検出することにより、筆記用具５４と操作表示部１０６との接近を検出してもよい。また、この際、筆記用具５４の内部に設けられた、加速度センサ等の複数のセンサによる計測も併せて用いて、入力装置１０に対する筆記用具５４の正確な位置座標を算出してもよい。さらに、通信部５１６等は、筐体５００の内部に設けられるのではなく、例えば、アタッチメントして筆記用具５４に装着されてもよい。
【００８３】
また、本実施形態においては、筆記用具５４内に、筆記用具５４を振動させる振動発生部（図示省略）を設けてもよい。この場合、筆記用具５４に設けられた撮影部５１２により入力装置１０の操作表示部１０６を検出した際に、当該振動発生部によって、筆記用具５４を振動させることにより、筆記用具５４と操作表示部１０６との接近をユーザに確実に認識させることができる。
【００８４】
なお、上述の第１から第３の実施形態においては、入力装置１０に対しての入力操作を行う操作体としては、上述の電子ペン３０に限定されるものではなく、ユーザの手指であってもよい。
【００８５】
また、本実施形態においては、入力装置１０は、タブレットＰＣ等に限定されるものではない。入力装置１０は、例えば、金融機関の営業店に設置されている自動取引装置、紙幣整理装置や自動釣銭機等、交通機関の駅に設置されている券売機等、コンビニエンスストア等の店舗に設置される情報端末等の正面等に設けられた入力装置であってもよい。もしくは、入力装置１０は、上述の装置に付属する入力装置として設けられていてもよい。
【００８６】
＜＜ハードウェア構成＞＞
以上、本発明の実施形態について説明した。次に、本実施形態に係る入力装置１０のハードウェア構成について、図１１を参照して説明する。図１１は、本実施形態に係る入力装置１０のハードウェア構成を示したブロック図である。
【００８７】
図１１に示すように、入力装置１０は、それぞれ、ＣＰＵ９５０、ＲＯＭ９５２、ＲＡＭ９５４、内部バス９５６、入出力インターフェース９５８、入力装置９６０、出力装置９６２、ＨＤＤ（Ｈａｒｄ  Ｄｉｓｋ  Ｄｒｉｖｅ）９６４、ネットワークインターフェース９６６、カメラ９６８、ドライブ９７０及び接続ポート９７４を有する。
【００８８】
（ＣＰＵ９５０）
ＣＰＵ９５０は、マイクロプロセッサなどのプロセッサにより構成され、演算処理装置および制御装置として、各種プログラムに従って入力装置１０内の動作全般を制御する、制御部１００としての機能を実現する。
【００８９】
（ＲＯＭ９５２）
ＲＯＭ９５２は、ＣＰＵ９５０が使用するプログラムや演算パラメータ等を記憶する。
【００９０】
（ＲＡＭ９５４）
ＲＡＭ９５４は、ＣＰＵ９５０の実行において使用するプログラムや、その実行において適宜変化するパラメータ等を一時記憶する。
【００９１】
（内部バス９５６）
内部バス９５６は、ＣＰＵバスなどから構成される。この内部バス９５６は、ＣＰＵ９５０、ＲＯＭ９５２、およびＲＡＭ９５４を相互に接続する。
【００９２】
（入出力インターフェース９５８）
入出力インターフェース９５８は、ＨＤＤ９６４、及びネットワークインターフェース９６６を、内部バス９５６と接続する。例えばＨＤＤ９６４は、この入出力インターフェース９５８および内部バス９５６を介して、ＲＡＭ９５４などとの間でデータをやり取りする。
【００９３】
（入力装置９６０）
入力装置９６０は、入力装置１０の操作表示部１０６の操作部の一例として構成される。入力装置９６０は、例えばユーザが情報を入力操作するための入力手段と、ユーザによる入力に基づいて入力信号を生成し、ＣＰＵ９５０に出力する入力制御回路などから構成されている。
【００９４】
（出力装置９６２）
出力装置９６２は、操作表示部１０６の表示部の一例として構成される。出力装置９６２は、表示部として、液晶ディスプレイ装置、ＯＬＥＤ装置などの表示装置を含む。この表示装置は、ＣＰＵ９５０により生成された画像等を表示する。また、出力装置９６２は、振動発生部１１２の一例として構成されることもできる。出力装置９６２は、振動発生部１１２として、バイブレータ等などの振動発生装置を含む。
【００９５】
（ＨＤＤ９６４）
ＨＤＤ９６４は、入力装置１０の記憶部１０４として機能する、データ格納用の装置である。このＨＤＤ９６４は、ＣＰＵ９５０が実行するプログラムや各種データを格納することもできる。
【００９６】
（ネットワークインターフェース９６６）
ネットワークインターフェース９６６は、例えばインターネットなどの通信網に接続するための通信デバイス等で構成された通信インターフェースである。このネットワークインターフェース９６６は、通信部１０２として機能する。なお、ネットワークインターフェース９６６は、無線ＬＡＮ対応通信装置、ＬＴＥ（Ｌｏｎｇ  Ｔｅｒｍ  Ｅｖｏｌｕｔｉｏｎ）対応通信装置、赤外線通信等であってもよい。また、ネットワークインターフェース９６６は、筆記用具５４等と無線通信することも可能である。
【００９７】
（カメラ９６８）
カメラ９６８は、撮影部１０８の一例として構成される。カメラ９６８は、入力装置１０の周囲の映像を、レンズを通して例えばＣＣＤやＣＭＯＳなどの撮像素子に結像させ、静止画像または動画像を撮影する機能を有する。
【００９８】
（ドライブ９７０）
ドライブ９７０は、磁気ディスク、光ディスク、又は半導体メモリなどのリムーバブル記録媒体９７２のためのリーダライタであり、入力装置１０に内蔵、あるいは外付けされる。ドライブ９７０は、装着されているリムーバブル記録媒体９７２に情報を書き込むことができる。また、ドライブ９７０は、装着されているリムーバブル記録媒体９７２に記録されている情報を読み出して、ＲＡＭ９５４に出力することもできる。
【００９９】
（接続ポート９７４）
接続ポート９７４は、外部装置（図示省略）を入力装置１０に直接接続するためのポートである。接続ポート９７４は、例えば、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート等である。接続ポート９７４は、接続ポート９７４に外部装置を接続することにより、入力装置１０と外部装置との間で各種のデータが交換されうる。
【０１００】
以上、本実施形態に係る入力装置１０のハードウェア構成の一例を示した。上記の各構成要素は、汎用的な部材を用いて構成されていてもよいし、各構成要素の機能に特化したハードウェアにより構成されていてもよい。かかる構成は、実施する時々の技術レベルに応じて適宜変更されうる。
【０１０１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０２】
また、上述した各実施形態の入力処理方法における各ステップは、必ずしも記載された順序に沿って処理されなくてもよい。例えば、各ステップは、適宜順序が変更されて処理されてもよい。また、各ステップは、時系列的に処理される代わりに、一部並列的に又は個別的に処理されてもよい。さらに、各ステップの処理の方法についても、必ずしも記載された方法に沿って処理されなくてもよく、例えば、他の機能部によって処理されていてもよい。
【０１０３】
さらに、上記の実施形態にかかる入力処理方法の少なくとも一部は、コンピュータを機能させる情報処理プログラムとして、ソフトウェアで構成することが可能であり、ソフトウェアで構成する場合には、これらの方法の少なくとも一部を実現するプログラムをフレキシブルディスクやＣＤ−ＲＯＭ等の記録媒体に収納し、入力装置１０等、もしくは、入力装置１０と接続された他の装置に読み込ませて実行させてもよい。記録媒体は、磁気ディスクや光ディスク等の着脱可能なものに限定されず、ハードディスク装置やメモリなどの固定型の記録媒体でもよい。さらに、これらの方法の少なくとも一部を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【符号の説明】
【０１０４】
１    入力システム
１０    入力装置
３０    電子ペン
５０、５２、５４    筆記用具
１００、５１４    制御部
１０２、５１６    通信部
１０４    記憶部
１０６    操作表示部
１０８、５１２    撮影部
１１０    音声出力部
１１２    振動発生部
３００、５００    筐体
３０２、５０２    ペン芯
３０４、５０４    ペン先
３０６    送受信コイル
３０８    フェライトコア
３１０    回路部
５０６、５１０    アタッチメント
５０８    ノック部
８００    警告画面
８０２    確認ボタン
９５０    ＣＰＵ
９５２    ＲＯＭ
９５４    ＲＡＭ
９５６    内部バス
９５８    入出力インターフェース
９６０    入力装置
９６２    出力装置
９６４    ＨＤＤ
９６６    ネットワークインターフェース
９６８    カメラ
９７０    ドライブ
９７２    リムーバブル記録媒体
９７４    接続ポート
【図１】
2017215631.tif 000003
【図２】
2017215631.tif 000004
【図３】
2017215631.tif 000005
【図４】
2017215631.tif 000006
【図５】
2017215631.tif 000007
【図６】
2017215631.tif 000008
【図７】
2017215631.tif 000009
【図８】
2017215631.tif 000010
【図９】
2017215631.tif 000011
【図１０】
2017215631.tif 000012
【図１１】
2017215631.tif 000013